(57)【要約】  生体認証感知装置は、生体データを得るために人により利用される。送信アンテナと受信アンテナを使用して、信号が送受信される。受信信号の測定値を生物学的活性と相関させることで、生体データを提供する。【選択図】図２
2021509300.tif 000002
【特許請求の範囲】
【請求項１】
感知装置であって：
第１構成部分（被験体によって摩損されおよび第１構成部分が摩損されるときに、被験体に近接する第１のアンテナを維持するように構成された第１構成部分）によって支持された第１のアンテナ；
第二コンポーネント（被験体によって摩損されおよび第二コンポーネントが摩損されるときに、被験体に近接する複数の第２のアンテナを維持するように構成された第二コンポーネント）によって支持された複数の第２のアンテナ；
第１のアンテナ（第１のアンテナにおける第１周波数信号を伝達するように構成されている信号発生器）に動作可能につながれた信号発生器；
信号プロセッサは動作可能に複数の第２のアンテナをつないだ、受信された受理信号を加工するように構成されている信号プロセッサ、各々、複数の集積化期間の第２のアンテナの、およびのために、各々、複数の集積化期間の、およびのために、各々、第１周波数信号に相当する測定を決定する第２のアンテナの；
および複数の集積化期間中に得られた第１周波数信号に相当する測定ここで、設ける、データ、に関して、１つの、被験体の生体認証。
【請求項２】
生体認証の感知装置、請求項１に記載、ここで、第１構成部分および第二コンポーネントの少なくとも１つ、第１のアンテナまたは複数の第２のアンテナの少なくとも１つが、分離されるように、構成される誘電体層を含む、第１構成部分および第二コンポーネントの少なくとも１つが摩損されるとき誘電体層による被験体。
【請求項３】
生体認証の感知装置、請求項１に記載、ここで、第１のアンテナが被験体に近接するあるとき、第１のアンテナはタッチしている、被験体。
【請求項４】
生体認証の感知装置、請求項１に記載、第二コンポーネントここで、堅い物質で製造されている。
【請求項５】
生体認証の感知装置、請求項１に記載、第二コンポーネントここで、可撓性材料で製造されている。
【請求項６】
生体認証の感知装置、請求項１に記載、第二コンポーネントここで、ゴム又はプラスチックで製造されている。
【請求項７】
生体認証の感知装置、請求項１に記載、第１構成部分および第二コンポーネントここで、単一の構成部分を形成する。
【請求項８】
生体認証の感知装置、請求項１に記載、第１構成部分ここで、本体の腕に対して摩損されるのに適している。
【請求項９】
生体認証の感知装置、請求項１に記載、被験体の生体認証のものここで、心臓活性に関係がある。
【請求項１０】
生体認証の感知装置、請求項１に記載、被験体の生体認証のものここで、肺の活性に関係がある。
【請求項１１】
感知装置、請求項１に記載、被験体の生体認証のものここで、無意識の身体活動に関係がある。
【請求項１２】
感知装置、請求項１に記載、被験体の生体認証のものここで、静脈又は動脈の位置に関係がある。
【請求項１３】
感知装置であって：
第１構成部分（被験体によって摩損されおよび第１構成部分が摩損されるときに、被験体に近接する第１のアンテナを維持するように構成された第１構成部分）によって支持された第１のアンテナ；
第二コンポーネント（被験体によって摩損されおよび第二コンポーネントが摩損されるときに、被験体に近接する複数の第２のアンテナを維持するように構成された第二コンポーネント）によって支持された複数の第２のアンテナ；
動作可能に連結された信号発生器、各々、複数の第２のアンテナの、複数の固有の周波数直交信号の少なくとも１つを伝達するように構成されている信号発生器、に対して、各々、複数の集積化期間の複数の第２のアンテナの；
第１のアンテナに動作可能につながれた信号プロセッサ、複数の集積化期間中に第１のアンテナに対して受けられた受理信号を加工するように構成されている信号プロセッサ、およびのために、各々、測定を決定する複数の集積化期間の、相当する、に、各々、固有の周波数直交信号の；
および測定ここで、相当する、に、各々、複数の集積化期間の固有の周波数直交信号の、設ける、データ、に関して、１つの、被験体の生体認証。
【請求項１４】
請求項１３の生体認証の感知装置、信号プロセッサ、さらなる、第２に多数の集積化期間中に第１のアンテナに対して受けられた第２受理信号を加工するように構成されること、およびのために、各々、測定を決定する第２の複数の集積化期間の、相当する、に、各々、固有の周波数直交信号の；
および測定ここで、相当する、に、各々、第２中に固有の周波数直交信号のうち、複数の集積化期間は設ける、データ、に関して、１つの、被験体の生体認証。
【請求項１５】
請求項１３の生体認証の感知装置、ここで、第１構成部分および第二コンポーネントの少なくとも１つ、第１のアンテナまたは複数の第２のアンテナの少なくとも１つが、分離されるように、構成される誘電体層を含む、第１構成部分および第二コンポーネントの少なくとも１つが摩損されるとき誘電体層による被験体。
【請求項１６】
請求項１３の生体認証の感知装置、ここで、いつ、複数の第２のアンテナ、複数の第２のアンテナの被験体少なくとも１つに近接するある、タッチしている、被験体。
【請求項１７】
請求項１３の生体認証の感知装置、第二コンポーネントここで、堅い物質で製造されている。
【請求項１８】
請求項１３の生体認証の感知装置、第二コンポーネントここで、可撓性材料で製造されている。
【請求項１９】
請求項１３の生体認証の感知装置、第二コンポーネントここで、ゴム又はプラスチックで製造されている。
【請求項２０】
請求項１３の生体認証の感知装置、第１構成部分および第二コンポーネントここで、単一の構成部分を形成する。
【請求項２１】
請求項１３の生体認証の感知装置、第１構成部分ここで、本体の腕に対して摩損されるのに適している。
【請求項２２】
請求項１３の生体認証の感知装置、被験体の生体認証のものここで、心臓活性に関係がある。
【請求項２３】
請求項１３の生体認証の感知装置、被験体の生体認証のものここで、肺の活性に関係がある。
【請求項２４】
請求項１３の感知装置、被験体の生体認証のものここで、無意識の身体活動に関係がある。
【請求項２５】
請求項１３の感知装置、被験体の生体認証のものここで、静脈又は動脈の位置に関係がある。
【発明の詳細な説明】
【技術分野】
【０００１】
本出願は、２０１８年４月２日上で出願された「可撓性の変形センサー」とタイトルをつけられた米国特許出願番号１５／９４３，２２１の一部継続出願である。本出願は、２０１８年３月１３日出願の米国仮特許出願第６２／４７３，９０８号、表題「Ｈａｎｄ  Ｓｅｎｓｉｎｇ  Ｃｏｎｔｒｏｌｌｅｒ」；本出願は、２０１８年３月１３日出願の米国仮特許出願第６２／４７３，９０８号、表題「Ｈａｎｄ  Ｓｅｎｓｉｎｇ  Ｃｏｎｔｒｏｌｌｅｒ」；本出願は、また２０１８年２月２６日上で出願されて、「感知変形のための装置および方法」とタイトルをつけられた米国特許出願番号１５／９０４，９５３の一部継続出願である。それは、順に２０１８年１月２４日上で出願されて、「受理分離を有するマトリックス・センサー」とタイトルをつけられた米国仮特許出願番号６２／６２１，１１７の特典を請求する；２０１７年１１月１７日出願の米国仮特許出願第６２／５８８，２６７号、表題「Ｓｅｎｓｉｎｇ  Ｃｏｎｔｒｏｌｌｅｒ」；および２０１７年１１月１７日上で出願された「システムおよび注入範囲センサーのための方法」とタイトルをつけられた米国仮特許出願番号６２／５８８，１４８。本出願は、２０１７年３月２０日出願の米国仮特許出願第６２／４７３，９０８号、表題「Ｈａｎｄ  Ｓｅｎｓｉｎｇ  Ｃｏｎｔｒｏｌｌｅｒ」；２０１７年４月２２日出願の米国仮特許出願第６２／４８８，７５３号、表題「Ｈｅｔｅｒｏｇｅｎｏｕｓ  Ｓｅｎｓｉｎｇ  Ａｐｐａｒａｔｕｓ  ａｎｄ  Ｍｅｔｈｏｄｓ」；および２０１７年７月１７日上で出願された「装置、およびディジット分離および再生を向上させる方法」とタイトルをつけられた米国仮特許出願番号６２／５３３，４０５。基準によって本書に本明細書に組み込まれたすべての前記の出願の内容物。
【０００２】
開示された装置および方法は、感知の電界に関係がある、およびにおいて、感知に特定、常に設けた、生体データ。
【図面の簡単な説明】
【０００３】
本開示の前述及び他の目的、特徴、及び利点は、添付図面に示されるようなの、以下のより詳細な実施形態の形態より明らかとなり、図中、参照文字は様々な視点を通じて同じ部分を指す。図面は、必ずしも正確な縮尺ではなく、その代わりに重点は、開示された実施形態の原理を概説することに置かれている。
【図１】図１は、感知装置の図を示す。
【図２】図２は、人と用いられる感知装置の図を示す。
【図３】図３は、受信器に受けられた、測定された信号のグラフを示す。
【図４】図４は、受信器に受けられた、測定された信号の別のグラフを示す。
【発明を実施するための形態】
【０００４】
現在の出願は、得る生体認証のために設計されたセンサーの様々な実施形態を企図する。センサー構成は、周波数直交信号技術（参照、例えば米国特許番号９，０１９，２２４および９，５２９，４７６、および米国特許番号９，８１１，２１４（どれが基準によって本明細書に組み込まれて、本書にあるかの全て））の用途のために適している。本明細書に説明されたセンサー構成は、スキャン又は時分割の技術（及び／又は符号分割技術）を含む他の信号技術と共に用いられてもよい。それに注意することは関係＜の＞ある、記載されたセンサー、および例示した、また信号注入（また信号注射と呼ばれた）技術および装置に関連する使用のために本明細書に適している。
【０００５】
本明細書に開示されているシステムおよび方法は、静電容量タッチセンサーセンサー、とりわけ限定されないが周波数分割多重化（ＦＤＭ）、符号分割多重化（ＣＤＭ）、またはＦＤＭ法とＣＤＭ法の両方を組み合わせたハイブリッド変調技術などの直交信号に基づく多重化方式を利用する静電容量タッチセンサーを、設計、製造および使用する原理とを提供する。本明細書における周波数に対する言及は、他の直交信号のベースも指す場合がある。そのため、本出願は、「低いレイテンシのタッチセンシティブデバイス」とタイトルをつけられた基準出願人の事前の米国特許番号９，０１９，２２４、および「高速マルチタッチポスト加工」とタイトルをつけられた米国特許番号９，１５８，４１１をによって組み込む。これらの出願は、本明細書に開示されているセンサーに関連して使用されることもある、ＦＤＭ、ＣＤＭ、またはＦＤＭ／ＣＤＭハイブリッドタッチセンサーを企図する。そのようなセンサーにおいて、相互作用は、行からの信号が、列に結合される（増加させられる）か、列から分離される（減少させられる）ときに、感知され、その結果は、その列上で受信される。行を順次励起し、且つ列にて励起信号の結合を測定することにより、静電容量変化を反映するヒートマップが、故に近接して作成され得る。
【０００６】
本出願は、また次のものにおいて開示された高速マルチタッチ・センサーおよび他のインターフェースにおいて用いられる原理を利用する：米国特許第５，１３９，９４１号；９，０１９，２２４号；９，８１１，２１４号；９，８０４，７２１号；９，７１０，１１３号；及び９，１５８，４１１号。これらの特許第内の開示、コンセプトおよび命名法についての熟知が推定される。それらの特許第の全体開示、および基準によって本明細書に組み込まれた出願は、基準によって本明細書に組み込まれる。本出願は、また次のものにおいて開示された高速マルチタッチ・センサーおよび他のインターフェースにおいて用いられる原理を利用する：米国特許１５／１６２，２４０第１２／１３１，８２８号；１／５５．１；１／５５．１；１／５５．１；１／５５．１；１／５５．１；１／５５．１；１／５５．１；６２／５４０，４５８、６２／５７５，００５、６２／６２１，１１７、６２／６１９，６５６およびＰＣＴ出版物ＰＣＴ／ＵＳ２０１７／０５０５４７、そこの開示、コンセプトおよび命名法についての熟知が推定される。基準によって本明細書に組み込まれた出願及び出願の全体開示は、基準によって本明細書に組み込まれる。
【０００７】
本明細書、特に特許請求の範囲内で使用されるように、第１（ｆｉｒｓｔ）及び第２（ｓｅｃｏｎｄ）などの順序の用語は、それら自体で、順序、時間、又は一意性を示唆することは意図されず、むしろ１つの主張された構成を別のものと区別するために使用される。文脈が規定する幾つかの使用において、これらの用語は、第１と第２が一意的であることを示唆することもある。例えば、事象が第１の時間に生じ、別の事象が第２の時間に生じると、第１の時間が第２の時間の前に生じるという意図された示唆は存在しない２時間。しかし、第２の時間が第１の時間の後であるという更なる制限が請求項に示される場合、文脈は、第１の時間と第２の時間が固有の時間であると読み取ることを要求する。同様に、文脈がそのように規定又は容認する場合、順序の用語は、２つの識別された請求項の構成が同じ特徴又は異なる特徴となり得るように広く解釈されるように、意図される。故に、例えば、第１及び第２の周波数は、限定されないが、同じ周波数であり、例えば、第１の周波数が１０Ｍｈｚであり、第２の周波数が１０Ｍｈｚであり；或いは、異なる周波数であってもよく、例えば、第１の周波数が１０Ｍｈｚであり、第２の周波数が１１Ｍｈｚである。文脈はそれ以外に、例えば、第１及び第２の周波数が互いに周波数直交するよう更に制限されることを示す場合があり、その場合、これらは同じ周波数ではない。
【０００８】
高速マルチタッチ（ＦＭＴ）センサーの特定の原理は上記に説明された特許出願において開示された。直交信号は送信される、複数の送信する導体（又はアンテナ）、および複数の受信する導体（又はアンテナ）に結びついていた受信器によって受けられた情報、その後、信号は、同定するべき信号プロセッサによって分析される、タッチ事象。送信する導体および受信する導体は、組織化されるかもしれない、様々な構成、挙げられること、例えば横断地点がノードを形成し、相互作用が受信信号の処理によりそれらのノードに検出される場合には、マトリックス。一実施形態では、直交信号が周波数直交である場合、直交の周波数（Δｆ）間の間隔は、少なくとも測定時期τの逆数（カラムがサンプルされる期間に等しい測定時期τ）である。一実施形態において、列は、１キロヘルツの周波数間隔（Δｆ）を使用して１ミリ秒（τ）にわたり測定され得る（即ち、Δｆ＝１／τ）。
【０００９】
一実施形態では、混合信号集積回路（又は下流構成部分又はソフトウェア）の信号プロセッサは並びに伝達された各周波数直交信号を表わす少なくとも１つの値を決定するのに適している。一実施形態では、混合信号集積回路（又は下流構成部分又はソフトウェア）の信号プロセッサは、受信信号のフーリエ変換を実行する。一実施形態では、混合信号集積回路は受信信号を計数化するのに適している。一実施形態では、混合信号集積回路（又は下流構成部分又はソフトウェア）は、受信信号を計数化しおよび計数化された情報上に離散的フーリエ変換（ＤＦＴ）を実行するのに適している。一実施形態では、混合信号集積回路（又は下流構成部分又はソフトウェア）は、受信信号を計数化しおよび計数化された情報上にＦＦＴ（ＦＦＴ）を実行するのに適している  −−  １つの型の離散的フーリエ変換であるＦＦＴ。
【００１０】
本質において、ＤＦＴがあたかもそれが繰り返すかのようにサンプリング周期（例えば集積化期間）中に得られた、デジタル・サンプル（例えばウィンドウ）の配列を処理することは本開示の観点から当技術分野における熟練者に明らかだろう。結果として、中心周波数（すなわち集積化期間（どれ、相互的、規定する、最小の周波数間隔）の逆数の完全体倍数ではない）でない信号は、名目上で、比較的持っているかもしれない、しかし他のＤＦＴビンへと小さな値を寄与する意図しない結果。したがって、それは、また熟練者に明らかだろう、本開示の観点から当技術分野において、項直交は、そのような小さな貢献によって明細書において使用されるように「破られない。」言い換えれば、私たちが項周波数直交を本明細書に用いるように、ＤＦＴビンの１つの信号の貢献の実質的にすべてが、他の信号の貢献の実質的にすべてとは異なっているＤＦＴビンになされる場合、２つの信号が周波数直交と考慮される。
【００１１】
一実施形態では、受信信号は少なくとも１ＭＨｚにサンプルされる。一実施形態では、受信信号は少なくとも２ＭＨｚにサンプルされる。一実施形態では、受信信号は４Ｍｈｚにサンプルされる。一実施形態では、受信信号は４．０９６Ｍｈｚにサンプルされる。一実施形態では、受信信号は４ＭＨｚよりも多いサンプルされる。
【００１２】
例えば、ｋＨｚサンプリングを達成するために、４０９６のサンプルが４．０９６ＭＨｚに得られるかもしれない。そのような実施形態において、集積化期間は１ミリ秒である、どれ、集積化期間の逆数以上周波数間隔がそうであるべき拘束につき、設ける、１ｋＨｚの最小の周波数間隔。（それは本開示の観点から当業者に明らかだろう、４０９６のサンプルをとるそれ、に、例えば、４ＭＨｚは１ミリ秒よりもわずかに長い集積化期間および達成しないｋＨｚサンプリングをもたらすだろう、および９７６．５６２５Ｈｚの最小の周波数間隔。）一実施形態では、周波数間隔は集積化期間の逆数に等しい。そのような実施形態において、周波数直交信号範囲の最大周波数が２ＭＨｚ未満のあるに違いない。そのような実施形態において、周波数直交信号範囲の実用的な最大周波数が、サンプリングレートの約４０％、または約１．６ＭＨｚ未満のあるに違いない。一実施形態では、ＤＦＴ（それはＦＦＴでありえた）は、送信アンテナ１３０によって伝達されたかもしれない、周波数直交信号の周波数が送信したと各々考えて、計数化された受信信号を情報のビンに変換するために用いられる。一実施形態では、２０４８のビンが約２ＭＨｚに１ｋＨｚからの周波数に相当する。これらの実施例が典型的で、単にそれであることは本開示の観点から当技術分野における熟練者に明らかだろう。システムの必要性に応じて、および受ける、拘束、上記される、見本郵送料率は増やされるか減少するかもしれない、集積化期間は調整されるかもしれない、周波数範囲は調整されるかもしれない、等
【００１３】
一実施形態では、ＤＦＴ（それはＦＦＴでありえる）出力は、伝達される各周波数直交信号のビンを含む。一実施形態では、各ＤＦＴ（それはＦＦＴでありえる）ビンは同位相で（Ｉ）および求積法（Ｑ）構成部分を含む。一実施形態では、ＩつおよびＱ構成部分の正方形の和は、そのビンのための信号の強度に相当する測定として用いられる。一実施形態では、ＩつおよびＱ構成部分の正方形の和の平方根は、そのビンのための信号の強度に相当する測定として用いられる。生体認証の活性に関連する測定としてビンのための信号の強度に相当する測定を用いることができるかもしれないことは本開示の観点から当技術分野における熟練者に明らかだろう。言い換えれば、与えられたビンにおける信号の強度に相当する測定はある程度の活性の結果変化するだろう。
【００１４】
一般的に、項が本明細書に用いられるので、注射又は注入は、被験体の本体に信号を伝達するプロセスを事実上指す、可能と、信号の活性送信するソースになる本体（又は身体各部）。一実施形態において、電気信号は、手（又は身体の他の部分）へと注入され、この信号は、手（又は指、或いは身体の他の部分）がセンサータッチ面と直接接触していないときでさえ、静電容量により検出され得る。これは、手（又は指、或いは他の一部の身体部分）の近接及び配向が表面に対して決定されることを可能にする。一実施形態において、信号は身体によって運ばれ（例えば、実行され）、関与する周波数に応じて、同様に表面付近又は表面より下に運ばれ得る。一実施形態において、少なくともｋＨｚ範囲の周波数が周波数注入に使用され得る。一実施形態において、ＭＨｚ範囲での周波数が周波数注入に使用され得る。一実施形態では、ＦＭＴに関する上記されるように注入を用いるために、注入信号はドライブ信号の直交であるのに選択されているかもしれない。したがって、センス線における他の信号に加えてそれを見るかもしれない。
【００１５】
本明細書に説明された感知装置、使用伝達および受信アンテナ（また導体として本明細書において引用された）。しかしながら、ことが理解されるだろう、送信アンテナ又は受信アンテナが送信機として機能も、受信器、又は両方は文脈及び実施形態を従属する。パターンの全て又は何れかの組み合わせに対する送信器及び受信器は、求められる信号を送受信可能な単一の集積回路に操作可能に接続され得る。一実施形態では、送信機および受信器は各々、必要とされた信号を送受信できる異なる集積回路に動作可能にそれぞれつながれる。一実施形態では、送信機および受信器、のために、全て、又は、パターンのいかなる組み合わせも、一グループの集積回路（各々必要とされた信号を送受信でき、ともにそのような倍数ＩＣ構成に必要な共有する情報）に動作可能につながれるかもしれない。一実施形態において、集積回路の性能（即ち、送信及び受信チャネルの数）、及びパターンの要件（即ち、送信及び受信チャネルの数）が許容される場合、コントローラ上の多面取りパターンのの全てに対する送信器と受信器の全てが、一般的な集積回路により操作される。一実施形態では、どこで、数、チャネルを伝達するか受信する、倍数集積回路の使用を必要とする、各回路からの情報は別個のシステムにおいて組み合わせている。一実施形態では、別個のシステムは信号処理のためにＧＰＵ及びソフトウェアを含む。
【００１６】
図１に目を向けると、感知装置１００の実施形態の図が示される。一実施形態では、信号処理能力を有する混合信号集積回路１０５は送信機１１０および受信器１２０を含む。一実施形態では、送信機（又は倍数送信機）および受信器（又は倍数受信器）を含むアナログフロントエンドは、送信しおよび混合信号集積回路１００の代わりに信号を受けるために用いられる。そのような実施形態において、アナログフロントエンドは信号生成および信号処理回路及び／又はソフトウェアにデジタル・インターフェースを提供する。
【００１７】
送信機１１０は、送信鉛１１５を介して送信アンテナ１３０に導電的に結び付けられる。また、受信器１２０は受理鉛１２５を介して受信アンテナ１４０に導電的に結び付けられる。信号は送信アンテナ１３０から発せられる。受信アンテナ１４０によって受けられた信号は、感知装置１００によって測定される。測定された信号の量はそれが用いられている環境約情報を提供するために用いられる。送信アンテナ１３０、及び受信アンテナ１４０によって受けられた信号の受信アンテナ１４０影響力測定との間の運動。加えて、他の環境条件は、なされた測定に影響を与えるかもしれない。例えば、水分は、受信アンテナ１４０によって受けられた信号の測定に影響を与えるかもしれない。
【００１８】
一実施形態では、混合信号集積回路１０５は、１つ以上の信号を生成しおよび送信機１１０を介して送信アンテナ１３０に信号を送信するのに適している。一実施形態では、混合信号集積回路１０５は、複数の周波数直交信号を生成しおよび送信するのに適している、送信アンテナ１３０の複数の周波数直交信号。一実施形態では、混合信号集積回路１０５は複数の周波数直交信号を生成するのに適して、複数の周波数直交信号の１つ以上である、に、各々、複数の送信アンテナの。一実施形態では、周波数直交信号は約２．５ＧＨｚ最大ＤＣからの範囲においてある。一実施形態では、周波数直交信号は約１．６ＭＨｚ最大ＤＣからの範囲においてある。一実施形態では、周波数直交信号は５０ｋＨｚから２００ｋＨｚまでの範囲においてある。周波数直交信号間の周波数間隔は、集積化期間（すなわちサンプリング周期）の逆数以上であるべきである。
【００１９】
一実施形態では、混合信号集積回路１０５（又は下流構成部分又はソフトウェア）は送信アンテナ１３０によって伝達された各周波数直交信号を表わす少なくとも１つの値を決定するのに適している。一実施形態では、混合信号集積回路１０５（又は下流構成部分又はソフトウェア）は、フーリエ変換を実行する、信号を受けた。一実施形態では、混合信号集積回路１０５は受信信号を計数化するのに適している。一実施形態では、混合信号集積回路１０（又は下流構成部分又はソフトウェア）は、受信信号を計数化しおよび計数化された情報上に離散的フーリエ変換（ＤＦＴ）を実行するのに適している。一実施形態では、混合信号集積回路１００（又は下流構成部分又はソフトウェア）は、受信信号を計数化しおよび計数化された情報上にＦＦＴ（ＦＦＴ）を実行するのに適している。
【００２０】
図２に目を向けると、感知装置１００の実施形態は、人又は動物の本体の一部上で、またはその部分に近接するそれが配置されることができることを示される。一実施形態では、感知装置１００は送信アンテナ１３０および受信アンテナ１４０を含む。一実施形態では、感知装置１００は送信アンテナ１３０および複数の受信アンテナ１４０を含む。一実施形態では、感知装置１００は複数の送信アンテナ１３０および受信アンテナ１４０を含む。一実施形態では、感知装置１００は１つ以上の送信アンテナ１３０および１つ以上の受信アンテナ１４０を含む。一実施形態では、感知装置１００ははめ込まれるかを囲まれる、１つの、着用可能。一実施形態では、感知装置１００は付属されることが本体に適切か、または付与する。一実施形態では、センサー装置１００は、本体に適用されるかもしれない接着剤面を含む。一実施形態では、センサー装置１００は部品である、又は摩損できるリストバンド、ヘッドバンド、ネック帯域、ベルトまたは他のそのような論説などの論説内にはめ込まれた。一実施形態では、センサー装置１００は部品である、又は１個の衣類においてはめ込まれていた、それは手袋などの皮膚に近接する摩損される、シャツ、ズボン、ソックス又は下着。
【００２１】
一実施形態では、感知装置１００は２部分（図示せず）から形成される。ここで、１部分は１つ以上の送信アンテナを含む。また、別の部品は１つ以上の受信アンテナ１４０を含む。一実施形態では、２部分の感知装置は各々本体（例えばリストバンド、前腕帯域）上に摩損される；又は左の腕のためのリストバンドおよび右の腕のためのリストバンド。
【００２２】
一実施形態では、送信し受信アンテナ１３０および１４０は導電性である。一実施形態では、感知装置１００が被験体（例えば人又は動物）への動作する隣接においてあるとき、送信アンテナ１３０および受信アンテナ１４０は被験体を有するダイレクトコンタクトにおいてある。一実施形態では、感知装置１００が被験体（例えば人又は動物）への動作する隣接においてあるとき、送信アンテナ１３０および受信アンテナ１４０の少なくとも１つは、被験体を有するダイレクトコンタクトにおいてない。一実施形態では、感知装置１００が被験体（例えば人又は動物）、１つ以上の送信または受信アンテナ１３０への動作する隣接においてあるとき、１４０は被験体から距離をおいて維持される。一実施形態では、そのような距離はアンテナ上に非導電性コーティングによって維持される。一実施形態では、そのような距離はアンテナ及び被験体との間の誘電体層によって維持される。
【００２３】
一実施形態では、感知装置１００が被験体（例えば人又は動物）への動作する隣接においてあるとき、少なくとも１つの送信アンテナ１３０は被験体に近接維持される。また、少なくとも１つの受信アンテナ１４０はプラスチック腕輪によって支持されて、硬質基体上に例えば支持される。一実施形態では、感知装置１００が被験体（例えば人又は動物）への動作する隣接においてあるとき、少なくとも１つの送信アンテナ１３０は被験体に近接維持される。また、複数の受信アンテナ１４０ケアはプラスチック腕輪によって支持されて、硬質基体上に例えば支持される。一実施形態では、感知装置１００が被験体（例えば人又は動物）、１つ以上の送信または受信アンテナ１３０、１４０への動作する隣接においてあるとき、互いに対する定位置において維持される、および皮膚の表面により移動しない、などの、例えば、アンテナ、それは、腕輪に関して定位置にとどまる。一実施形態では、感知装置１００が被験体（例えば人又は動物）、１つ以上の送信または受信アンテナ１３０への動作する隣接においてあるとき、１４０は、硬質基体（例えばプラスチック腕輪によって支持されるアンテナ）上に支持される。一実施形態では、感知装置１００が被験体（例えば人又は動物）、１つ以上の送信または受信アンテナ１３０への動作する隣接においてあるとき、１４０は、非常にフレキシブル基板（例えば軟貨の布又は可撓性のゴムに対して支持されるアンテナ）上に支持される；および、一実施形態では、軟貨の布又は可撓性のゴム基板は、接着剤（例えば帯域のねばねばする部分が補助するように）を用いて、被験体に一時的に添えられるかもしれない。一実施形態では、感知装置１００が被験体（例えば人又は動物）、１つ以上の送信または受信アンテナ１３０への動作する隣接においてあるとき、１４０は、フレキシブル基板（例えば布又はゴムの基板によって支持されるアンテナ）上に支持される；一実施形態では、そのような基板はシリコーン腕輪を似ているかもしれないか帯域援助のねばねばしない部分を似ているかもしれなかった。それは粘着部分によって一般的に局地化されるが、皮膚により正確に移動しないだろう。
【００２４】
一実施形態では、感知装置は、１つ以上の着用可能な構成部分上に支出された複数の導電性アンテナを含む。一実施形態では、そのアンテナが被験体を有するダイレクトコンタクトにおいてあるように、着用可能な構成部分は構成される。一実施形態では、１つの、着用可能な構成部分、アンテナが被験体を有するダイレクトコンタクトにおいてないように構成される。一実施形態では、１つの、着用可能な構成部分、少なくともアンテナのいくつかが被験体を有するダイレクトコンタクトにおいてないように構成される。一実施形態では、各々、複数の導電性アンテナの、送信アンテナ又は受信アンテナとして用いることができる。
【００２５】
一実施形態では、複数の固有の直交信号は、１つ以上の送信アンテナに動作可能に実施される。一実施形態では、信号発生器は複数の固有の直交信号を生成するために用いられる、各々、どれが送信アンテナに動作可能に実施されるかの。一実施形態では、複数の固有の直交信号は、１つ以上の送信アンテナに動作可能に実施される。一実施形態では、マトリックススイッチャは動作可能に送信アンテナとして用いられるかもしれない任意のアンテナに信号発生器の複数の固有の直交信号のいずれかの出力をつなぐように構成される。一実施形態では、信号プロセッサは設けるために用いられる、測定、のために、各々、受信された複数の固有の直交信号の、各々、１つ以上、アンテナを受ける。一実施形態では、マトリックススイッチャは動作可能に信号プロセッサの入力に各受信アンテナをつなぐように構成される。
【００２６】
一実施形態では、各送信アンテナ１４０は、信号プロセッサによって識別可能な固有の周波数直交信号を伝達する。一実施形態では、本体上で置かれる複数のデバイスがある、各々、１つ以上の送信アンテナ１３０および１つ以上の受信アンテナ１４０を含む複数のデバイスの。一実施形態ではその後、受信アンテナ１４０によって受けられるそれらが被験体へと信号を注入するのと同じ方法において送信アンテナ１３０機能。一実施形態では、１つまたは受信アンテナ１４０および送信アンテナ両方は、本体内に内部にある。
【００２７】
一実施形態では、感知装置１００は腕に対して摩損された帯域である。一実施形態では、感知装置１００はアイマスクである。一実施形態では、感知装置１００はネックのまわりで摩損されたスカーフである。一実施形態では、感知装置１００はカラーである。一実施形態では、感知装置１００は腕輪である。一実施形態では、感知装置１００は手首上に摩損される。一実施形態では、感知装置１００はゴーグル又は眼鏡として形成される。一実施形態では、感知装置１００は足又は足に対して摩損される。一実施形態では、感知装置１００はイアリング又はイアリングである。一実施形態では、感知装置１００は脚に対して摩損された帯域である。一実施形態では、感知装置１００は胸に対して摩損される。一実施形態では、感知装置１００は後部上に摩損される。一実施形態では、感知装置１００は防砂堤領域において摩損される。
【００２８】
一実施形態では、アンテナは、三次元の物体（又はそのような三次元の物体の顔）として形成される。それらの実施例は以下のものを含む：三乗、直角プリズム、三角柱、八角形のプリズム、四面体、正方形ピラミッド、円筒およびコーン。そのような実施形態において、２つ以上の寸法において重ねることは可能である。例えば、２ｍｍの三乗を配置することができるかもしれない、例えば、２  ｍｍｓ、第１構造上の二次元グリッドにおいて別個に、すなわち、例えば、幅１”および同様の三乗の別の層が第２構造上に配置できた一方、手首上に摩損された。一実施形態では、大規模な高密度なアレイ、例えば、交互に繰り返す送信機および受信器はインタラクトできる。送信し周波数直交信号を受けることができ、および、信号相互作用における変化を検出できる混合信号集積回路上記、または別のシステムを用いると、生体データはシステムによって測定できる。
【００２９】
一実施形態では、各送信アンテナは複数の周波数直交信号を伝達するために用いることができる。一実施形態では、送信アンテナ１３０および受信アンテナ１４０の位置は、送信アンテナ又は受信アンテナのいずれかとして任意の集積化期間中に作動する動的に再構成され可能とする各々アンテナになりえる。一実施形態では、アンテナは送信アンテナおよび受信アンテナ（異なる周波数直交信号のとはいえ）の両方として単一の集積化期間中に用いることができる。一実施形態では、アンテナの２つの群が同じ集積化期間中に送信アンテナ及び受信アンテナの両方として用いられる；アンテナの第１群にはその受信信号がある、通過した、高域フィルタ、およびアンテナの第２の群にその受信信号がある一方、低周波のみを伝達するために用いられる、通過した、低域フィルタ、および高周波数のみを伝達する。
【００３０】
送信アンテナ１３０および受信アンテナ１４０は１つ以上の送信アンテナ１３０および１つ以上の受信アンテナ１４０を含むアンテナ列の一部として構成し形成できる。一般的に、より多くのアンテナがより多くのデータの収集にもたらすだろう。しかしながら、アンテナの配置、その結果、それらは設ける、得られることになっている生体データに関連する情報、およびない、量、単独で、測定のための改善された能力にもたらしてもよい。一実施形態では、アンテナは生体データを得るために身体部分上で、またはその身体部分に隣接する重要な位置において配置される。によって「近似の」それは一般的に意味される、それを十分に閉じる、アンテナの配置、設けることができること、身体部分に関する、または得るべき皮膚の表面に関する情報、本体機能約生体データ。一実施形態では、アレイのアンテナは、静脈及び／又は動脈がある特異的な位置で配置される。一実施形態では、アンテナ（またはアンテナグループを送受信する）を送受信する、皮膚、および皮膚下の構造の皮膚および運動のストレッチング上で配置される、必然の信号変動を引き起こす、常に得た、生体データ。一実施形態では、アンテナ（またはアンテナグループを送受信する）を送受信する、皮膚および環境の真皮の変化上で配置される、得るために用いられる、生体データ。一実施形態では、機械学習アルゴリズムは生体データに測定された信号を関連させるために用いられる。
【００３１】
一実施形態では、非常に小さな送信、およびアンテナを受ける、本体上に様々な近くの位置上で直接置かれ、互いの相対運動を検出できる――および、その相対運動は得るために用いることができる、生体データ。一実施形態では、アンテナは、少量の接着剤を用いる髪、毛包または皮膚に添えられる。
【００３２】
使用中にいるとき、受信器に送信アンテナから受けられた信号の量は測定される。図３を参照すると、一連の集積化期間中に特定の受信器に受けられた測定された量の信号が示される。活性は、他のフレームによりも一定の集積化期間中に、より多くの信号が受けられていることを示す。測定された信号は、生物学的活性を示すある場合がある。一実施形態では、各フレームの測定された信号は、生物学的活性を示すある場合がある。一実施形態では、複数のフレームの測定された信号は、生物学的活性を示すある場合がある。
【００３３】
図４は、一連の集積化期間中に特定の受信器に受けられた測定された量の信号を説明する別のグラフである。図４のグラフにおいて、本及び以前の受信信号間のδは例示される。これは設ける、受信信号の異なる斜視、およびできる、視覚化しおよび生体データの確立のために使用するのにより容易な生体データを示すメイク信号。
【００３４】
測定された信号は人約生体データを提供するために加工されることができる。生体データは生物学的活性に関連付けられる及び／又はに関係のある情報である。一実施形態では、生体データは心拍数に関連付けられるある。一実施形態では、生体データは循環する活性に関連付けられるある。一実施形態では、生体データは呼吸器の活性に関連付けられるある。一実施形態では、生体データは真皮の活性に関連付けられるある。一実施形態では、生体データは音声の活性に関連付けられるある。一実施形態では、生体データは聴力に関連付けられるある。一実施形態では、生体データは足取りに関連付けられるある。一実施形態では、生体データは筋活動に関連付けられるある。一実施形態では、生体データは眼の活性に関連付けられるある。一実施形態では、生体データはまぶた活性に関連付けられるある。一実施形態では、生体データは消化の活性に関連付けられるある。一実施形態では、生体データは本体内の信号の透過率に関連付けられるある。一実施形態では、生体データは本体の特定部分に関連付けられるあり、目印にするために用いられる、本体（例えば特定の静脈、動脈）の特定部分は浅掌動脈弓などの設けることができるかもしれない、表面に対してハンドの方向付け。一実施形態では、ウェアラブルデバイスを用いる、目印にする特定の動脈は、我々がウェアラブルデバイスの時間のための本体上の配置をトラッキングことを可能にすることができる。
【００３５】
得るために上記に説明されたように、生体データ、感知装置１００は捜し出される、人に関連付けられる及び／又は、その結果受けた、信号は設けるために感知装置１００によって測定し用いることができる、生体データ。その後、生体データは、診断上の目的、健康関連銘柄、同定および他の活性のために用いられてもよい。
【００３６】
本発明は、その好ましい実施形態を言及すると共に明確に示され且つ記載される一方で、形式及び詳細の様々な変更が、本発明の精神と範囲から逸脱することなく、その中で行なわれ得ることが、当業者によって理解される。
【図１】
2021509300.tif 000003
【図２】
2021509300.tif 000004
【図３】
2021509300.tif 000005
【図４】
2021509300.tif 000006
【国際調査報告】
2021509300.tif 000007
2021509300.tif 000008
2021509300.tif 000009
2021509300.tif 000010
2021509300.tif 000011
2021509300.tif 000012
2021509300.tif 000013